(57)【特許請求の範囲】
【請求項１】
径の異なるディスク状の搬送部材を搬送して予め決められた位置に位置決めさせるためのディスク位置決め機構であって、
上記搬送部材を搬送するための搬送手段と、
上記搬送手段によって第１の径を有する第１の形状の上記搬送部材を摺動させながら搬送するために所定の深さに形成された第１凹部と、
上記第１の形状の上記搬送部材が上記搬送手段によって搬送され当該搬送部材の先端が当接する垂直な壁を形成する第１の壁と、
上記搬送手段によって上記第１の径よりも小さい第２の径を有する第２の形状の上記搬送部材を摺動させながら搬送するために上記第１凹部よりも深く形成された第２凹部と、
上記第２の形状の上記搬送部材が上記搬送手段によって搬送され当該搬送部材の先端が当接する垂直な壁であって、上記第１の壁よりも低い位置に形成された第２の壁と、を設け、
上記第１凹部は、上記第１の形状の上記搬送部材が上記第１の壁に当接するまで搬送方向に連続して形成されると共に、上記第２の形状の上記搬送部材が上記第２の壁に当接する位置における当該第２の壁の高さを上記第１凹部の上面の高さよりも低く形成した
ことを特徴とするディスク位置決め機構。
【請求項２】
上記搬送部材はコンパクトディスクであり、上記ディスク位置決め機構はコンパクトディスクの情報を再生するための再生装置に設けられていることを特徴とする請求項１に記載のディスク位置決め機構。
【請求項３】
上記再生装置は、オーディオ装置であることを特徴とする請求項２に記載のディスク位置決め機構。
【発明の詳細な説明】
【０００１】
【発明の属する技術分野】
この発明は、搬送された搬送部材をセンタリングするディスク位置決め機構に関するものである。
【０００２】
【従来の技術】
近年、コンパクトディスクに記録された音楽情報等を再生するための再生装置としてのオーディオ装置が普及している。現在、コンパクトディスクを挿入口から挿入させて、センタリングする機構としては、以下のような位置決め機構が一般的である。
コンパクトディスクには、直径の異なる例えば８ｃｍ及び１２ｃｍのものがある。このため、オーディオ装置においては、挿入されたコンパクトディスクを例えば外形をトレースして判別して、ローディング機構によって搬送する必要があった。
【０００３】
この時、直径の小さなコンパクトディスクは、中心付近から搬送されるようにするべく、挿入口の入り口付近でおおよそのセンタリングが行われる。センタリングが行われたコンパクトディスクは、例えばローラ等によってさらにオーディオ装置の内部へ搬送される。しかし、この時、コンパクトディスクは、おおよそのセンタリングしか行われていないため、さらに精度良くセンタリングを行う必要がある。
従来、オーディオ装置の搬送途中には、例えば直径が８ｃｍのコンパクトディスクのように緒形が小さいコンパクトディスクをセンタリングするようにガイドするためのガイドディスクが設けられている。ガイドディスクは、直径の小さなコンパクトディスクが搬送されてくると、そのコンパクトディスクが押しつけられるように搬送して、直径の小さなコンパクトディスクをセンタリングする。
【０００４】
【発明が解決しようとする課題】
ところが、直径の大きなコンパクトディスクが搬送されてきた場合には、このコンパクトディスクがガイドディスクに当接しないように、ローディング機構に工夫が必要であった。このように直径の異なるコンパクトディスクをセンタリングして搬送するためには、ガイドディスクのような特別な部品を設ける必要が生じてしまうという問題点があった。
【０００５】
そこでこの発明は上記課題を解消し、直径の異なるディスク状の異なる搬送部材を同一の搬送手段によって搬送することで、特別の部品を使わずに搬送部材をセンタリングすることができ、小型化及び構造の簡素化を図ることができるディスク位置決め機構を提供することを目的としている。
【０００６】
【課題を解決するための手段】
上記目的は、この発明にあっては、径の異なるディスク状の搬送部材を搬送して予め決められた位置に位置決めさせるためのディスク位置決め機構であって、搬送部材を搬送するための搬送手段と、搬送手段によって第１の径を有する第１の形状の搬送部材を摺動させながら搬送するために所定の深さに形成された第１凹部と、第１の形状の搬送部材が搬送手段によって搬送され当該搬送部材の先端が当接する垂直な壁を形成する第１の壁と、搬送手段によって第１の径よりも小さい第２の径を有する第２の形状の搬送部材を摺動させながら搬送するために第１凹部の内側であって、当該第１凹部よりも深く形成された第２凹部と、第２の形状の搬送部材が搬送手段によって搬送され当該搬送部材の先端が当接する垂直な壁であって、第１の壁よりも低い位置に形成された第２の壁と、を設け、第１凹部は、第１の形状の搬送部材が第１の壁に当接するまで搬送方向に連続して形成されると共に、第２の形状の搬送部材が第２の壁に当接する位置における当該第２の壁の高さを第１凹部の上面の高さよりも低く形成したことを特徴とするディスク位置決め機構により達成される。
この発明では、搬送手段は、ディスク状の搬送部材を予め決められた角度方向に搬送する。当接手段は、搬送手段の搬送方向に対して略直立した当接部（第１の壁、第２の壁）を有する。搬送手段によって搬送された搬送部材（第１の形状の搬送部材、第２の形状の搬送部材）の周面は、当接手段の当接部に当接して、搬送部材は当接部の形状に合わせて壁に予め決められた位置に位置決めされる。
【０００７】
【発明の実施の形態】
以下、この発明の好適な実施の形態を添付図面に基づいて詳細に説明する。
なお、以下に述べる実施の形態は、この発明の好適な具体例であるから、技術的に好ましい種々の限定が付されているが、この発明の範囲は、以下の説明において特にこの発明を限定する旨の記載がない限り、これらの形態に限られるものではない。
【０００８】
図１は、この発明の好ましい実施形態としての位置決め機構が搭載された再生装置が取り付けされた状態を示す斜視図である。
再生装置の一例としては、例えば車載のオーディオ装置１０００である。車載のオーディオ装置１０００は、一般的には図１のように運転席及び助手席の間の前方に設けられた所定のラックに取り付けられる。オーディオ装置１０００は、搭乗者の操作によって例えば近年普及したコンパクトディスクやミニディスクカートリッジ等の情報記録媒体に格納された音楽等を再生する。
【０００９】
図２は、図１のオーディオ装置１０００の一例を示す斜視図である。
オーディオ装置１０００は、外観上において、フロントパネル５及び本体２０から構成される。
フロントパネル５は、本体２０の前面１０００ａに設けられている。フロントパネル５は、例えば搭乗者である使用者が操作するための操作パネルである。フロントパネル５は、例えば着脱可能なように装着することができるものでもよい。フロントパネル５には、前面１０００ａに取り出しボタン１６、電源ボタン１８、挿入口１４及びその他各種の機能を発揮するボタン等が設けられている。
【００１０】
取り出しボタン１６は、使用者が押すことによってオーディオ装置１０００に挿入されたコンパクトディスク等を、使用者が挿入口１４から取り出すことができるようにするためのボタンである。電源ボタン１８は、例えばオーディオ装置１０００の主電源スイッチをオン／オフするためのボタンである。
【００１１】
挿入口１４は、コンパクトディスク３等を外部から本体２０に挿入させたり、取り出しボタン１６が使用者に押されて取り出す際の出入口である。挿入口１４から多少本体２０の内部に入ったところには、後述する挿入機構が設けられている。フロントパネル５の前述した各種の機能を発揮するボタンは、本体の所定の電子回路と電気的に接続されており、搭乗者である使用者が所望の操作を行うことでオーディオ装置１０００の各種の機能を操作することができる。
【００１２】
本体２０は、機械的には図２のように挿入機構部１００（挿入機構）、ローディング機構部２００（ローディング機構）、センタリング機構部３００（センタリング機構）、リンク機構部４００（リンク機構）、種別判別機構部５００（チャッキング機構）及び駆動機構（図示せず）を有する。
使用者によって挿入されたコンパクトディスク３等の本体２０内での搬送方法は、図３のように挿入機構部１００、ローディング機構部２００、センタリング機構部３００、種別判別機構部５００及びリンク機構部４００を経由して駆動機構付近まで配置される。
【００１３】
挿入機構部１００は、操作者によって挿入口から挿入されたコンパクトディスク３等を、例えば挿入口の中心がコンパクトディスク３等の中心と合うように所定の位置から本体２０の内部に挿入させるための機構である。ローディング機構部２００は、挿入機構部１００にてセンタリングされたコンパクトディスク３等を本体２０のさらに内部に搬送させるための機構である。センタリングリング機構部３００は、ローディング機構部２００によって搬送されてきたコンパクトディスク３のセンタリングの微調整をするための機構である。
【００１４】
種類判別機構部５００は、ローディング機構部２００によって搬送されたコンパクトディスク３等の種別を判別するための判別手段である。リンク機構部４００は、ローディング機構部２００によって搬送されたコンパクトディスク３等を所定の位置に移動させて、駆動機構の近傍の所定の位置に配置させるための機構である。駆動機構は、コンパクトディスク３等に記録された情報を再生する際に、コンパクトディスク３等の中心付近を把持して回転させるための例えばスピンドルモータ等である。
【００１５】
図４は、図２の挿入機構部、ローディング機構部（ローディング機構、搬送手段）、ローディング機構部を一部として有するセンタリング機構部（当接手段、位置決め機構）等の概略的な配置例を示す斜視図である。
挿入機構部１００は、前述したように使用者によって図２の挿入口１４から挿入されたコンパクトディスク３を挿入口１４の略中心から挿入させるための機構である。
【００１６】
ローディング機構部２００は、本体２０において図２の挿入口１４付近に設けられた挿入機構部１００によって挿入口１４の中心付近となるように挿入されたコンパクトディスク３をＹ１方向に搬送（以下、ローディングという）するための搬送手段である。
【００１７】
図５（Ａ）は、コンパクトディスクを把持している図４のローディング機構部をＳＲ方向から見た場合の平面図である。図５（Ｂ）は、ミニディスクカートリッジを把持している図４のローディング機構部をＳＲ方向から見た場合の平面図である。
ローディング機構２００は、図５（Ａ）の拡大斜視図のように左右対称の構造であるため、以下の説明では図４のＳＲ方向から見た場合についてのみ説明する。ローディング機構２００は、支持部２０８（第３支持手段）、第１アーム２０２（第１支持手段）、ローラ２０２ｂ（第１当接部）、第２アーム２０４（第２支持手段）、ローラ２０４ｂ（第２当接部）及び保持部２０６（保持手段）等を有する。
【００１８】
支持部２０８は、ローディングされてきたコンパクトディスク３の第２面３ｃ（他面）側に設けられた回転可能な円筒状のローラである。支持部２０８は、後述するように第１アーム２０２及び第２アーム２０４それぞれによって例えば所定の弾性力によってＺ方向に力を加えられたコンパクトディスク３を支持するように本体２０に固定されている。つまり、コンパクトディスク３は、支持部２０８と、第１アーム２０２及び第２アーム２０４とによって挟み込まれるように把持される。
【００１９】
第１アーム２０２は例えば略Ｌ字型の形状であり、その一端には、本体２０に固定された軸２０２ａが設けられており、軸２０２ａを中心として回動する。第１アーム２０２の軸２０２ａとは反対側の他端には、回転可能な円筒形状のローラ２０２ｂが設けられている。第１アーム２０２は、回動するようにＺ方向に力が加えられている。第１アーム２０２のローラ２０２ｂは、図５（Ａ）の拡大斜視図のように第２アーム２０４のローラ２０４ｂとの間で後述するように保持部２０６によって一定の間隔が保持されている。
【００２０】
ローラ２０２ｂは、第１アーム２０２がＺ方向に力が加えられて回動した際に、コンパクトディスク３の第１面３ｂ（一面）に当接した状態で回転されることで、コンパクトディスク３をＹ１方向にローディングする。尚、ローラ２０２ｂは、部分的にコンパクトディスク３に接触しているようなものであってもよい。
【００２１】
第２アーム２０４は、第１アーム２０２と略同様の構成をしており、例えば略Ｌ字型の形状であり、その一端には、本体２０に固定された軸２０４ａが設けられており、軸２０４ａを中心として回動する。第２アーム２０４の軸２０４ａとは反対側の他端には、回転可能な円筒形状のローラ２０４ｂが設けられている。第２アーム２０４は、回動するようにＺ方向に力が加えられている。
ローラ２０４ｂは、第２アーム２０４がＺ方向に力が加えられて回動した際に、コンパクトディスク３の第１面３ｂに当接した状態で回転されることで、コンパクトディスク３をＹ１方向にローディングする。尚、ローラ２０４ｂは、部分的にコンパクトディスク３に接触しているようなものであってもよい。
【００２２】
第２アーム２０４が第１アーム２０２と異なる点は、次に示す点である。第２アーム２０４における軸２０４ａからローラ２０４ｂまでの長さ２０４ｃが、第１アーム２０２における軸２０２ａからローラ２０２ｂまでの長さ２０２ｃとは異なるように形成する点である。長さ２０２ｃは、好ましくは長さ２０４ｃよりも短い方がよい。このように長さ２０２ｃと長さ２０４ｃが異なることで、コンパクトディスク３等がローディングされる搬送方向が、水平線Ｈより例えば角度θ1 だけ上向くことになる。
【００２３】
つまり、長さ２０２ｃと長さ２０４ｃの関係及びコンパクトディスク３の厚さ３ａ（例えば１．２ｍｍ）の関係によってローディングされる方向を、任意の方向とすることができる。これは、例えば図５（Ｂ）のようにミニディスクカートリッジ１０のように、厚さ１０ａがコンパクトディスク３の厚さ３ａより厚いと角度θ2 のようにほぼ水平線Ｈと平行にミニディスクカートリッジ１０をローディングすることができる。従って、コンパクトディスク３の搬送方向とミニディスクカートリッジ１０の搬送方向を異なる方向（角度）とすることができる。
【００２４】
尚、第１アーム２０２及び第２アーム２０４には、図５のＺ方向あるいはＺ方向とは逆の方向にそれぞれ軸２０２ａ及び軸２０４ａを中心として略Ｚ方向及びその逆方向に回動させるための回動手段２１０が設けられている。第１アーム２０２及び第２アーム２０４は、回動手段２１０が第１アーム２０２及び第２アーム２０４をコンパクトディスク３等に対してＺ方向に押しつけることで、コンパクトディスク３等を挟み込む。
【００２５】
保持部２０６は、第１アーム２０２の第１当接部２０２ｂと第２アーム２０４の第２当接部２０４ｂとの間を一定の間隔とするための部材である。第１軸２０２ａから第１当接部２０２ｂまでの長さ２０２ｃは、第２軸２０４ａから第２当接部２０４ｂまでの長さ２０４ｃよりも短い。図５（Ｂ）のように厚さ１０ａが比較的厚い部材を挟み込んでいた状態から図５（Ａ）のように厚さ３ａが薄い部材を挟み込むと、第１アーム２０２及び第２アームがそれそれ第１軸及び第２軸を中心として回動して、長さ２０２ｃ及び２０４ｃの違いによって、第２アーム２０４の第２当接部２０４ｂの方が第１アーム２０２の第１当接部２０２ｂよりも回動距離が大きくなる。このため、第２アーム２０４の当接部２０４ｂの方がＺ方向においてやや回動距離が大きく、コンパクトディスク３のように厚さ３ａの薄い部材がやや上向く。
【００２６】
図６は、図４のセンタリング機構部の一部としてのローディング機構部及びセンタリング機構部の一部としての上トレー付近をＺ方向から見た場合の平面図である。図９は、図６のセンタリング機構部の一部としての上トレー付近をＳＬ方向から見た場合のＢ−Ｂ’側面断面図である。
以下、センタリング機構部３００について、図６及び図９等を参照しながら説明する。
【００２７】
センタリング機構部３００は、前述したローディング機構部２００を一部として有し、さらにコンパクトディスク３をチャッキング（以下、挟み込んでつかむことを示す）するための上トレー３０２を有する。上トレー３０２は、図４のようにローディング機構部２００によってＹ１方向にローディングされたコンパクトディスク３を、下トレー３０４との間でチャッキングするためのチャッキング機構である。
【００２８】
上トレー３０２は、略平面状であり、図６のようにＺ方向において凹凸部が形成されている。以下の説明で、「凹部」とは所定の基準線より凹形状であることを示し、「凸部」とは所定の基準線より凸形状であることを示す。上トレー３０２の一面には、外周を形成する凸部３０２ｅ、凸部３０２ｅの内側に形成された略半円状の凹部３０２ａ、同じく略半円状の凹部３０２ｈと第２凹部である凹部３０２ｄ及び凹部３０２ｉ、凹部３０２ｉと凸部３０２ｅの間に形成された第１凹部である凹部３０２ｂ、凹部３０２ｄ及び凸部３０２ｅの間に形成された第１凹部である凹部３０２ｃ等が形成されている。
【００２９】
図７は、図６の上トレーをＣ−Ｃ’で切断した場合の断面図である。図８は、図６の上トレーをＤ−Ｄ’で切断した場合の断面図である。図７及び図８は、深さ方向であるＺ方向の厚さを分かりやすくするため、Ｚ方向をやや強調して表現している。
上述した凸部及び凹部では、Ｚ方向の深さ（上トレー３０２の厚さ）がわかりづらいので、一例として所定の基準線からの各凸部及び凹部の凹凸の大きさを以下のように設定する。
凸部３０２ｅは、１．０５ｍｍ凸である。凹部３０２ａは、１．０ｍｍ凹である。凹部３０２ｈ、３０２ｄ及び３０２ｉは、凹部３０２ｄ及び３０２ｉが２．０ｍｍであり、凹部３０２ｈが３．０ｍｍである。つまり、凹部３０２ｈ、３０２ｄ及び３０２ｉは、図７のように凹部３０２ｉから凹部３０２ｈにかけてやや深くなり、凹部３０２ｈから凹部３０２ｄにかけてやや浅くなるような形状をしている。これは、後述する図９のようにローディングされるコンパクトディスク８等の形状が円形状であるため、コンパクトディスク３の先端が凹部３０２ｈに当接しないようにするためによるものである。凹部３０２ｂ及び凹部３０２ｃは、０．３ｍｍの凹である。
【００３０】
各凹部及び凸部の概略役割は、以下のようである。凹部３０２ｈ、３０２ｄ及び３０２ｉは、それぞれ図９（Ｂ）のようにローディング機構部２００によってコンパクトディスク８が搬送されてきた場合に、コンパクトディスク８の先端付近が摺動する面である。凹部３０２ｂ及び凹部３０２ｃは、図９（Ｃ）のようにそれぞれローディング機構部２００によってコンパクトディスク１２が搬送された場合に、コンパクトディスク１２の外周の先端付近が摺動する面である。
【００３１】
上トレー３０２は、図７及び図８のような断面形状に形成されているので、図６の上トレー３０２をＳＬ方向から見ると、図９の上トレー３０２のような断面になる。つまり、上トレー３０２には、凸部と凹部、又は凹部と凹部の深さの違いによって、壁３０２ｆ（第２の壁、当接部）、壁３０２ｇ（第１の壁、当接部）が形成されている。
【００３２】
壁３０２ｆは、図９（Ａ）のようにローディング機構部２００によって略Ｙ１方向に搬送されてきた例えば直径８ｃｍのコンパクトディスク８の先端が図９（Ｂ）のように当接するように上トレー３０２の一面に形成されている。壁３０２ｆは、図６のように略円形状の内周を構成するように形成されている。
【００３３】
壁３０２ｇは、図９（Ａ）のようにローディング機構部２００によって略Ｙ１方向に搬送されてきた例えば直径１２ｃｍのコンパクトディスク１２の先端が図９（Ｃ）のように当接するように上トレー３０２の一面に形成されている。壁３０２ｇは、図６のように略円形状の内周を構成するように形成されている。壁３０２ｇは、壁３０２ｆのさらに内周よりに形成されている。
【００３４】
ここで、図９（Ｂ）及び図９（Ｃ）それぞれにおいて、直径が８ｃｍのコンパクトディスク８が壁３０２ｆに当接し、直径が１２ｃｍのコンパクトディスク１２が壁３０２ｇに当接するのは、以下の理由によるものである。コンパクトディスク１２は、コンパクトディスク８よりも直径が大きいため、コンパクトディスク８が凹部３０２ｈ等を摺動するのに対して、コンパクトディスク１２は図７の角部３０２ｘ及び角部３０２ｙを摺動するので、コンパクトディスク１２が壁３０２ｆに当接しないことによるものである。
【００３５】
この発明の実施形態は以上のようなの構成であり、次にその動作について図１〜図９を参照しながら説明する。以下の説明では、図２の挿入口１４から挿入部材として外形の異なる例えば直径が８ｃｍや１２ｃｍのコンパクトディスク３（８、１２）を例に取り説明する。
【００３６】
使用者は、例えば図１のように車載のオーディオ装置１０００が取り付けられた車に乗車中である。使用者は乗車中に例えば音楽が聞きたくなり、図２のようにコンパクトディスク３を挿入口１４に挿入する。
使用者が挿入したコンパクトディスク３は、図２のように本体２０に対してコンパクトディスク３が挿入口１４からＹ１方向に挿入される。このオーディオ装置１０００には、挿入口１４付近に挿入機構部１００が設けられているので、コンパクトディスク３は挿入口１４から挿入されると、ほぼセンタリングされた状態で挿入される。
【００３７】
挿入機構部１００によってセンタリングされたコンパクトディスク３は、使用者によって更に押し込まれることでローディング機構部２００に到達する。ローディング機構部２００では、以下に示すようにコンパクトディスク３を上トレー３０２の方向に搬送する。
【００３８】
前述したように第１アーム２０２のローラ２０２ｂ及び第２アーム２０４のローラ２０４ｂと支持部２０８とによって、図５及び図９（Ａ）のようにそれぞれコンパクトディスク８の第１面３ｂ及び第２面３ｃが回動手段２１０によって挟み込まれる。
【００３９】
ローディング機構２００は、前述したように挟み込むコンパクトディスク３等の厚さによって搬送方向（角度）を異なる方向とすることができる。コンパクトディスク８では、図５（Ａ）のように角度θ1 だけ上向いてローディングされる。ここで、コンパクトディスク３が、例えば直径が８ｃｍのコンパクトディスク８であるとすると、図９（Ｂ）のようにコンパクトディスク８の先端は、壁３０２ｆに当接する。
【００４０】
この際に、コンパクトディスク８のセンタリングが多少ずれていても、コンパクトディスク８の先端付近が壁３０２ｆを摺動して、コンパクトディスク８はセンタリングされる。これは、例えば１２ｃｍのコンパクトディスク１２であっても同様である。コンパクトディスク１２の先端が壁３０２ｇに当接することで、コンパクトディスク１２は微調整されてセンタリングされる。このようにしてコンパクトディスク８又はコンパクトディスク１２がセンタリングされると、回動手段２１０が第１アーム２０２及び第２アーム２０４をＺ方向とは逆方向に回動させることで、これらのコンパクトディスクの挟み込みを解除する。そして、コンパクトディスクは、完全にセンタリングされた状態で駆動機構にチャッキングされる。
【００４１】
この発明の実施形態によれば、直径の異なるコンパクトディスクは、それぞれローディング機構部２００によって搬送されて、先端付近が当接手段に当接されることでセンタリングされる。
【００４２】
ところでこの発明は上述した実施形態に限定されるものではない。
上述した説明では、第１アーム２０２の第１支持部２０２ｂ、第２アーム２０４の第２支持部２０４ｂ及び支持部２０８は、一例としてローラ形状であると例示しているが、これに限られずコンパクトディスク３の表面を摺動することができるような摩擦の少ない摺動部のようなものであってもよい。図５（Ｂ）において図示されている回動手段２１０は図５（Ａ）等において省略されているが、同様に設けられている。その他、この発明の実施形態は、再生装置のみならず記録／再生装置にも適用することができる。
【００４３】
【発明の効果】
以上説明したように、この発明によれば、直径の異なるディスク状の異なる搬送部材を同一の搬送手段によって搬送することで、特別の部品を使わずに搬送部材をセンタリングすることができ、小型化及び構造の簡素化を図ることができる。
【図面の簡単な説明】
【図１】この発明の好ましい実施形態として位置決め機構が搭載された再生装置が取り付けされた状態を示す斜視図。
【図２】図１のオーディオ装置の本体の各機構部の配置例を示す透過斜視図。
【図３】搬送部材の各機構毎の搬送順の一例を示す図。
【図４】図２のローディング機構部及びローディング機構部を一部として有するセンタリング機構部の配置例を示す斜視図。
【図５】図４のローディング機構部がコンパクトディスク及びミニディスクカートリッジを把持している様子を示す平面図。
【図６】図４のセンタリング機構部の一部としてのローディング機構部及びセンタリング機構部の一部としての上トレー付近をＺ方向から見た場合の平面図。
【図７】図６の上トレーのＣ−Ｃ’断面図。
【図８】図６の上トレーのＤ−Ｄ’断面図。
【図９】図６のセンタリング機構部の一部としての上トレー付近をＳＬ方向から見た場合のＢ−Ｂ’側面断面図。
【符号の説明】
３・・・コンパクトディスク（搬送部材、挿入部材）、３ｂ・・・第１面（一面）、３ｃ・・・第２面（他面）、８・・・コンパクトディスク（搬送部材、挿入部材）、１０・・・ミニディスクカートリッジ（搬送部材、挿入部材）、１２・・・コンパクトディスク（搬送部材、挿入部材）、２００・・・ローディング機構部（ローディング機構、搬送手段）、２０２・・・第１アーム（第１支持手段）、２０２ａ・・・軸（第１軸）、２０２ｂ・・・ローラ（第１支持部）、２０４・・・第２アーム（第２支持手段）、２０４ａ・・・軸（第２軸）、２０４ｂ・・・ローラ（第２支持部）、２０６・・・、２０８・・・支持部（第３支持手段）、３００・・・センタリング機構部（当接手段、位置決め機構）、３０２・・・上トレー（当接手段）、３０２ａ・・・凹部（第１凹部）、３０２ｂ・・・凹部（第１凹部）、３０２ｃ・・・凹部（第１凹部）、３０２ｄ・・・凹部（第２凹部）、３０２ｆ・・・壁（第２の壁、当接部）、３０２ｇ・・・壁（第１の壁、当接部）、３０２ｈ・・・凹部（第２凹部）、３０２ｉ・・・凹部（第２凹部）
【図１】
0003937579.tif 000002
【図２】
0003937579.tif 000003
【図３】
0003937579.tif 000004
【図４】
0003937579.tif 000005
【図５】
0003937579.tif 000006
【図６】
0003937579.tif 000007
【図７】
0003937579.tif 000008
【図８】
0003937579.tif 000009
【図９】
0003937579.tif 000010